(57)【特許請求の範囲】
【請求項１】
物体側から順に、正の屈折力の第１レンズ群、負の屈折力の第２レンズ群、及び正の屈折力の後続レンズ群からなり、短焦点距離端から長焦点距離端への変倍に際し、第１レンズ群と第２レンズ群の間隔が増加し、第２レンズ群と後続レンズ群の間隔が減少するように、少なくとも第１レンズ群と後続レンズ群の少なくとも一部とが移動するズームレンズ系において、
第２レンズ群は、物体側から順に、フォーカシング時に不動の負の屈折力の第２ａレンズ群、及びフォーカシング時に光軸方向に移動する負の屈折力の第２ｂレンズ群からなり、
短焦点距離端から長焦点距離端への変倍に際し、第２ａレンズ群と第２ｂレンズ群の間隔が一定であり、
正の屈折力の後続レンズ群は、短焦点距離端から長焦点距離端への変倍に際して互いの間隔を変化させる少なくとも２つのレンズ群を含んでおり、
正の屈折力の後続レンズ群は、物体側から順に、正の屈折力の第３レンズ群、負の屈折力の第４レンズ群、及び正の屈折力の第５レンズ群からなる、
ことを特徴とするズームレンズ系。
【請求項２】
物体側から順に、正の屈折力の第１レンズ群、負の屈折力の第２レンズ群、及び正の屈折力の後続レンズ群からなり、短焦点距離端から長焦点距離端への変倍に際し、第１レンズ群と第２レンズ群の間隔が増加し、第２レンズ群と後続レンズ群の間隔が減少するように、少なくとも第１レンズ群と後続レンズ群の少なくとも一部とが移動するズームレンズ系において、
第２レンズ群は、物体側から順に、フォーカシング時に不動の負の屈折力の第２ａレンズ群、及びフォーカシング時に光軸方向に移動する負の屈折力の第２ｂレンズ群からなり、
短焦点距離端から長焦点距離端への変倍に際し、第２ａレンズ群と第２ｂレンズ群の間隔が一定であり、
正の屈折力の後続レンズ群は、短焦点距離端から長焦点距離端への変倍に際して互いの間隔を変化させる少なくとも２つのレンズ群を含んでおり、
正の屈折力の後続レンズ群は、物体側から順に、正の屈折力の第３レンズ群、負の屈折力の第４レンズ群、正の屈折力の第５レンズ群、及び負の屈折力の第６レンズ群からなる、
ことを特徴とするズームレンズ系。
【請求項３】
請求項１または２記載のズームレンズ系において、
次の条件式（１）を満足するズームレンズ系。
（１）０．１＜ｆ２／ｆ２ｂ＜０．７
但し、
ｆ２：第２レンズ群の焦点距離、
ｆ２ｂ：第２ｂレンズ群の焦点距離。
【請求項４】
請求項１ないし３のいずれか１項記載のズームレンズ系において、
第２ｂレンズ群は、負単レンズからなるズームレンズ系。
【請求項５】
請求項１ないし３のいずれか１項記載のズームレンズ系において、
第２ｂレンズ群は、物体側から順に位置する負レンズと正レンズの接合レンズからなるズームレンズ系。
【請求項６】
請求項１ないし５のいずれか１項記載のズームレンズ系において、
次の条件式（２）を満足するズームレンズ系。
（２）４５＜ν２ｂｎ
但し、
ν２ｂｎ：第２ｂレンズ群中の負レンズのｄ線に対するアッベ数。
【請求項７】
請求項１ないし６のいずれか１項記載のズームレンズ系において、
次の条件式（３）を満足するズームレンズ系。
（３）１．５５＜Ｎ２ｂｎ
但し、
Ｎ２ｂｎ：第２ｂレンズ群中の負レンズのｄ線に対する屈折率。
【請求項８】
請求項１ないし７のいずれか１項記載のズームレンズ系において、
次の条件式（４）を満足するズームレンズ系。
（４）０．２＜ｆ２ａ／ｆ２ｂ＜２．０
但し、
ｆ２ａ：第２ａレンズ群の焦点距離、
ｆ２ｂ：第２ｂレンズ群の焦点距離。
【請求項９】
請求項１ないし８のいずれか１項記載のズームレンズ系を備えた電子撮像装置。
【発明の詳細な説明】
【技術分野】
【０００１】
本発明は、ズームレンズ系及びこれを備えた電子撮像装置に関する。
【背景技術】
【０００２】
近年、デジタルカメラ等の電子撮像装置に用いられるズームレンズ系には、より小型で高性能であることが求められている。また、好適な動画撮影を行うために、フォーカスレンズ群を小型軽量化して迅速で静穏なフォーカシングを行うことが求められている。さらに、変倍時の像面湾曲を良好に補正することが求められている。
【０００３】
特許文献１、２には、物体側から順に、正の屈折力の第１レンズ群、負の屈折力の第２レンズ群、及び正の屈折力の後続レンズ群からなるズームレンズ系において、第２レンズ群を負の前群と負の後群に分割し、この負の後群をフォーカシング時に移動するフォーカスレンズ群とすることが開示されている。
【先行技術文献】
【特許文献】
【０００４】
【特許文献１】特開２０００−２８９２３号公報
【特許文献２】特開２０１０−１７５９５４号公報
【発明の概要】
【発明が解決しようとする課題】
【０００５】
しかし、特許文献１のズームレンズ系にあっては、フォーカスレンズ群である第２レンズ群の後群（特許文献１においては「第２ｂ群Ｌ２ｂ」）が、２枚の負レンズと１枚の正レンズの３枚のレンズからなるため、フォーカスレンズ群の小型軽量化が不十分であり、迅速で静穏なフォーカシングを行うことができない。
【０００６】
また、特許文献２のズームレンズ系にあっては、フォーカスレンズ群である第２レンズ群の後群（特許文献２においては「第３レンズ群Ｇ３」）が単レンズで構成されているのでフォーカスレンズ群の小型軽量化については問題ないが、第２レンズ群の後群（第３レンズ群Ｇ３）は、変倍時の像面位置補償を行うコンペンセータ群でもあるため、変倍時の像面湾曲変化が発生してしまっている。
【０００７】
本発明は、以上の問題意識に基づいて完成されたものであり、フォーカスレンズ群を小型軽量化して迅速で静穏なフォーカシングを行うとともに、変倍時の像面湾曲を良好に補正して優れた光学性能を実現できるズームレンズ系及びこれを備えた電子撮像装置を得ることを目的とする。
【課題を解決するための手段】
【０００８】
本発明のズームレンズ系は、第１の態様（５群ズームレンズ構成）では、物体側から順に、正の屈折力の第１レンズ群、負の屈折力の第２レンズ群、及び正の屈折力の後続レンズ群からなり、短焦点距離端から長焦点距離端への変倍に際し、第１レンズ群と第２レンズ群の間隔が増加し、第２レンズ群と後続レンズ群の間隔が減少するように、少なくとも第１レンズ群と後続レンズ群の少なくとも一部とが移動するズームレンズ系において、第２レンズ群は、物体側から順に、フォーカシング時に不動の負の屈折力の第２ａレンズ群、及びフォーカシング時に光軸方向に移動する負の屈折力の第２ｂレンズ群からなり、短焦点距離端から長焦点距離端への変倍に際し、第２ａレンズ群と第２ｂレンズ群の間隔が一定であり、正の屈折力の後続レンズ群は、短焦点距離端から長焦点距離端への変倍に際して互いの間隔を変化させる少なくとも２つのレンズ群を含んでおり、正の屈折力の後続レンズ群は、物体側から順に、正の屈折力の第３レンズ群、負の屈折力の第４レンズ群、及び正の屈折力の第５レンズ群からなる、ことを特徴としている。
本発明のズームレンズ系は、第２の態様（６群ズームレンズ構成）では、物体側から順に、正の屈折力の第１レンズ群、負の屈折力の第２レンズ群、及び正の屈折力の後続レンズ群からなり、短焦点距離端から長焦点距離端への変倍に際し、第１レンズ群と第２レンズ群の間隔が増加し、第２レンズ群と後続レンズ群の間隔が減少するように、少なくとも第１レンズ群と後続レンズ群の少なくとも一部とが移動するズームレンズ系において、第２レンズ群は、物体側から順に、フォーカシング時に不動の負の屈折力の第２ａレンズ群、及びフォーカシング時に光軸方向に移動する負の屈折力の第２ｂレンズ群からなり、短焦点距離端から長焦点距離端への変倍に際し、第２ａレンズ群と第２ｂレンズ群の間隔が一定であり、正の屈折力の後続レンズ群は、短焦点距離端から長焦点距離端への変倍に際して互いの間隔を変化させる少なくとも２つのレンズ群を含んでおり、正の屈折力の後続レンズ群は、物体側から順に、正の屈折力の第３レンズ群、負の屈折力の第４レンズ群、正の屈折力の第５レンズ群、及び負の屈折力の第６レンズ群からなる、ことを特徴としている。
【０００９】
本発明のズームレンズ系は、次の条件式（１）を満足することが好ましい。
（１）０．１＜ｆ２／ｆ２ｂ＜０．７
但し、
ｆ２：第２レンズ群の焦点距離[mm]、
ｆ２ｂ：第２ｂレンズ群の焦点距離[mm]、
である。
【００１０】
本発明のズームレンズ系は、条件式（１）の条件式範囲の中でも、次の条件式（１’）を満足することが好ましい。
（１’）０．２＜ｆ２／ｆ２ｂ＜０．６
【００１１】
本発明のズームレンズ系は、その一態様では、フォーカスレンズ群である第２ｂレンズ群を、負単レンズで構成することができる。
【００１２】
本発明のズームレンズ系は、別の態様では、フォーカスレンズ群である第２ｂレンズ群を、物体側から順に位置する負レンズと正レンズの接合レンズで構成することができる。
【００１４】
本発明のズームレンズ系は、次の条件式（２）を満足することが好ましい。
（２）４５＜ν２ｂｎ
但し、
ν２ｂｎ：第２ｂレンズ群中の負レンズのｄ線に対するアッベ数、
である。
【００１５】
本発明のズームレンズ系は、次の条件式（３）を満足することが好ましい。
（３）１．５５＜Ｎ２ｂｎ
但し、
Ｎ２ｂｎ：第２ｂレンズ群中の負レンズのｄ線に対する屈折率、
である。
【００１６】
本発明のズームレンズ系は、次の条件式（４）を満足することが好ましい。
（４）０．２＜ｆ２ａ／ｆ２ｂ＜２．０
但し、
ｆ２ａ：第２ａレンズ群の焦点距離[mm]、
ｆ２ｂ：第２ｂレンズ群の焦点距離[mm]、
である。
【００２０】
本発明は、デジタルカメラやビデオカメラ等の電子撮像装置の態様では、以上のように構成されたズームレンズ系を備えている。
【発明の効果】
【００２１】
本発明によれば、フォーカスレンズ群を小型軽量化して迅速で静穏なフォーカシングを行うとともに、変倍時の像面湾曲を良好に補正して優れた光学性能を実現できるズームレンズ系及びこれを備えた電子撮像装置が得られる。
【図面の簡単な説明】
【００２２】
【図１】本発明によるズームレンズ系の数値実施例１の長焦点距離端における無限遠合焦時のレンズ構成図である。
【図２】図１の構成における諸収差図である。
【図３】図１の構成における横収差図である。
【図４】同数値実施例１の短焦点距離端における無限遠合焦時のレンズ構成図である。
【図５】図４の構成における諸収差図である。
【図６】図４の構成における横収差図である。
【図７】本発明によるズームレンズ系の数値実施例２の長焦点距離端における無限遠合焦時のレンズ構成図である。
【図８】図７の構成における諸収差図である。
【図９】図７の構成における横収差図である。
【図１０】同数値実施例２の短焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の長焦点距離端における無限遠合焦時のレンズ構成図である。
【図１４】図１３の構成における諸収差図である。
【図１５】図１３の構成における横収差図である。
【図１６】同数値実施例３の短焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の長焦点距離端における無限遠合焦時のレンズ構成図である。
【図２０】図１９の構成における諸収差図である。
【図２１】図１９の構成における横収差図である。
【図２２】同数値実施例４の短焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の長焦点距離端における無限遠合焦時のレンズ構成図である。
【図２６】図２５の構成における諸収差図である。
【図２７】図２５の構成における横収差図である。
【図２８】同数値実施例５の短焦点距離端における無限遠合焦時のレンズ構成図である。
【図２９】図２８の構成における諸収差図である。
【図３０】図２８の構成における横収差図である。
【図３１】本発明によるズームレンズ系の数値実施例６の長焦点距離端における無限遠合焦時のレンズ構成図である。
【図３２】図３１の構成における諸収差図である。
【図３３】図３１の構成における横収差図である。
【図３４】同数値実施例６の短焦点距離端における無限遠合焦時のレンズ構成図である。
【図３５】図３４の構成における諸収差図である。
【図３６】図３４の構成における横収差図である。
【図３７】本発明によるズームレンズ系の第１のズーム軌跡を示す簡易移動図である。
【図３８】本発明によるズームレンズ系の第２のズーム軌跡を示す簡易移動図である。
【図３９】本発明によるズームレンズ系の第３のズーム軌跡を示す簡易移動図である。
【図４０】本発明によるズームレンズ系の第４のズーム軌跡を示す簡易移動図である。
【図４１】本発明によるズームレンズ系の第５のズーム軌跡を示す簡易移動図である。
【発明を実施するための形態】
【００２３】
本実施形態のズームレンズ系は、数値実施例１−３、６では、図１、図４、図７、図１０、図１３、図１６、図３１、図３４のレンズ構成図、及び図３７、図３８、図３９の簡易移動図に示すように、物体側から順に、正の屈折力の第１レンズ群Ｇ１、負の屈折力の第２レンズ群Ｇ２、正の屈折力の第３レンズ群（後続レンズ群）Ｇ３、及び正の屈折力の第４レンズ群（後続レンズ群）Ｇ４Ｐからなる。第２レンズ群Ｇ２は、物体側から順に、負の屈折力の第２ａレンズ群Ｇ２ａ、及び負の屈折力の第２ｂレンズ群Ｇ２ｂからなる。Ｉは像面である。
第２ａレンズ群Ｇ２ａと第２ｂレンズ群Ｇ２ｂは、短焦点距離端から長焦点距離端への変倍に際し、互いの間隔を変化させない（一体に移動する）。つまり本実施形態のズームレンズ系は、数値実施例１−３、６では、正負正正の４群ズームレンズ構成（第１レンズ群Ｇ１、第２レンズ群Ｇ２、第３レンズ群Ｇ３、第４レンズ群Ｇ４Ｐ）である。
【００２４】
本実施形態のズームレンズ系は、数値実施例１、６では、図３７の簡易移動図に示すように、短焦点距離端（Ｗ）から長焦点距離端（Ｔ）への変倍（ズーミング）に際し、第１レンズ群Ｇ１が単調に物体側に移動し、第２レンズ群Ｇ２（第２ａレンズ群Ｇ２ａ、第２ｂレンズ群Ｇ２ｂ）が単調に像側に移動し、第３レンズ群Ｇ３が単調に像側に移動し、第４レンズ群Ｇ４Ｐが一旦物体側に移動した後に像側に戻る（Ｕターンする）。その結果、第１レンズ群Ｇ１と第２レンズ群Ｇ２の間隔が増加し、第２レンズ群Ｇ２と第３レンズ群Ｇ３の間隔が減少し、第３レンズ群Ｇ３と第４レンズ群Ｇ４Ｐの間隔が減少する。
【００２５】
本実施形態のズームレンズ系は、数値実施例２では、図３８の簡易移動図に示すように、短焦点距離端（Ｗ）から長焦点距離端（Ｔ）への変倍（ズーミング）に際し、第１レンズ群Ｇ１が単調に物体側に移動し、第２レンズ群Ｇ２（第２ａレンズ群Ｇ２ａ、第２ｂレンズ群Ｇ２ｂ）が単調に像側に移動し、第３レンズ群Ｇ３が単調に物体側に移動し、第４レンズ群Ｇ４Ｐが単調に物体側に移動する。その結果、第１レンズ群Ｇ１と第２レンズ群Ｇ２の間隔が増加し、第２レンズ群Ｇ２と第３レンズ群Ｇ３の間隔が減少し、第３レンズ群Ｇ３と第４レンズ群Ｇ４Ｐの間隔が減少する。
【００２６】
本実施形態のズームレンズ系は、数値実施例３では、図３９の簡易移動図に示すように、短焦点距離端（Ｗ）から長焦点距離端（Ｔ）への変倍（ズーミング）に際し、第１レンズ群Ｇ１が単調に物体側に移動し、第２レンズ群Ｇ２（第２ａレンズ群Ｇ２ａ、第２ｂレンズ群Ｇ２ｂ）が一旦像側に移動した後に物体側に戻り（Ｕターンし）、第３レンズ群Ｇ３が単調に物体側に移動し、第４レンズ群Ｇ４Ｐが単調に物体側に移動する。その結果、第１レンズ群Ｇ１と第２レンズ群Ｇ２の間隔が増加し、第２レンズ群Ｇ２と第３レンズ群Ｇ３の間隔が減少し、第３レンズ群Ｇ３と第４レンズ群Ｇ４Ｐの間隔が減少する。
【００２７】
本実施形態のズームレンズ系は、数値実施例４では、図１９、図２２のレンズ構成図、及び図４０の簡易移動図に示すように、物体側から順に、正の屈折力の第１レンズ群Ｇ１、負の屈折力の第２レンズ群Ｇ２、正の屈折力の第３レンズ群（後続レンズ群）Ｇ３、負の屈折力の第４レンズ群（後続レンズ群）Ｇ４Ｎ、及び正の屈折力の第５レンズ群（後続レンズ群）Ｇ５からなる。第２レンズ群Ｇ２は、物体側から順に、負の屈折力の第２ａレンズ群Ｇ２ａ、及び負の屈折力の第２ｂレンズ群Ｇ２ｂからなる。Ｉは像面である。
第２ａレンズ群Ｇ２ａと第２ｂレンズ群Ｇ２ｂは、短焦点距離端から長焦点距離端への変倍に際し、互いの間隔を変化させない（一体に移動する）。つまり本実施形態のズームレンズ系は、数値実施例４では、正負正負正の５群ズームレンズ構成（第１レンズ群Ｇ１、第２レンズ群Ｇ２、第３レンズ群Ｇ３、第４レンズ群Ｇ４Ｎ、第５レンズ群Ｇ５）である。
【００２８】
本実施形態のズームレンズ系は、数値実施例４では、図４０の簡易移動図に示すように、短焦点距離端（Ｗ）から長焦点距離端（Ｔ）への変倍（ズーミング）に際し、第１レンズ群Ｇ１が単調に物体側に移動し、第２レンズ群Ｇ２（第２ａレンズ群Ｇ２ａ、第２ｂレンズ群Ｇ２ｂ）が一旦像側に移動した後に物体側に戻り（Ｕターンし）、第３レンズ群Ｇ３が単調に物体側に移動し、第４レンズ群Ｇ４Ｎが単調に物体側に移動し、第５レンズ群Ｇ５が単調に物体側に移動する。その結果、第１レンズ群Ｇ１と第２レンズ群Ｇ２の間隔が増加し、第２レンズ群Ｇ２と第３レンズ群Ｇ３の間隔が減少し、第３レンズ群Ｇ３と第４レンズ群Ｇ４Ｎの間隔が増加し、第４レンズ群Ｇ４Ｎと第５レンズ群Ｇ５の間隔が減少する。
【００２９】
本実施形態のズームレンズ系は、数値実施例５では、図２５、図２８のレンズ構成図、及び図４１の簡易移動図に示すように、物体側から順に、正の屈折力の第１レンズ群Ｇ１、負の屈折力の第２レンズ群Ｇ２、正の屈折力の第３レンズ群（後続レンズ群）Ｇ３、負の屈折力の第４レンズ群（後続レンズ群）Ｇ４Ｎ、正の屈折力の第５レンズ群（後続レンズ群）Ｇ５、及び負の屈折力の第６レンズ群Ｇ６からなる。第２レンズ群Ｇ２は、物体側から順に、負の屈折力の第２ａレンズ群Ｇ２ａ、及び負の屈折力の第２ｂレンズ群Ｇ２ｂからなる。Ｉは像面である。
第２ａレンズ群Ｇ２ａと第２ｂレンズ群Ｇ２ｂは、短焦点距離端から長焦点距離端への変倍に際し、互いの間隔を変化させない。つまり本実施形態のズームレンズ系は、数値実施例５では、正負正負正負の６群ズームレンズ構成（第１レンズ群Ｇ１、第２レンズ群Ｇ２、第３レンズ群Ｇ３、第４レンズ群Ｇ４Ｎ、第５レンズ群Ｇ５、第６レンズ群Ｇ６）である。
本実施形態のズームレンズ系は、数値実施例５では、図４１の簡易移動図に示すように、短焦点距離端（Ｗ）から長焦点距離端（Ｔ）への変倍（ズーミング）に際し、第１レンズ群Ｇ１が単調に物体側に移動し、第２レンズ群Ｇ２は移動せず、第３レンズ群Ｇ３が単調に物体側に移動し、第４レンズ群Ｇ４Ｎが単調に物体側に移動し、第５レンズ群Ｇ５が単調に物体側に移動し、第６レンズ群Ｇ６が像側に凸の軌跡を描きながら物体側に移動する。その結果、第１レンズ群Ｇ１と第２レンズ群Ｇ２の間隔が増加し、第２レンズ群Ｇ２と第３レンズ群Ｇ３の間隔が減少し、第３レンズ群Ｇ３と第４レンズ群Ｇ４Ｎの間隔が増加し、第４レンズ群Ｇ４Ｎと第５レンズ群Ｇ５の間隔が減少し、第５レンズ群Ｇ５と第６レンズ群Ｇ６の間隔が増加する。
【００３０】
本実施形態のズームレンズ系は、負の屈折力の第２レンズ群Ｇ２を、負の屈折力の第２ａレンズ群Ｇ２ａと負の屈折力の第２ｂレンズ群Ｇ２ｂとに分割し、第２ａレンズ群Ｇ２ａをフォーカシング時に不動（像面Ｉに対して固定）とし、第２ｂレンズ群Ｇ２ｂをフォーカシング時に光軸方向に移動するフォーカスレンズ群としている。
これにより、フォーカスレンズ群を小型軽量化して迅速なフォーカシングが可能になるとともに、フォーカシングに必要な駆動力が小さくなるため、電動フォーカシングに伴う動作音を低減することができる。
この作用効果は、本実施形態の数値実施例１−４、６のように、フォーカスレンズ群である第２ｂレンズ群Ｇ２ｂを負単レンズ２４で構成したときにより顕著に発現される。また、本実施形態の数値実施例５のように、フォーカスレンズ群である第２ｂレンズ群Ｇ２ｂを負レンズ２４と正レンズ２５の接合レンズで構成することで、フォーカシング時の色収差の変動を少なくすることができる。
【００３１】
さらに本実施形態のズームレンズ系は、短焦点距離端から長焦点距離端への変倍に際し、第２ａレンズ群Ｇ２ａと第２ｂレンズ群Ｇ２ｂの間隔を変化させないことで、第２ａレンズ群Ｇ２ａと第２ｂレンズ群Ｇ２ｂの両方を使って第２レンズ群２Ｇ内の収差を補正できるので、変倍に際する収差変動を抑えることができる。このように本実施形態のズームレンズ系は、負単レンズ２４または負レンズ２４と正レンズ２５の接合レンズで小型軽量化した第２ｂレンズ群Ｇ２ｂにフォーカシングに際する像面位置補正の機能のみを持たせている。
【００３２】
本実施形態のズームレンズ系は、第２レンズ群Ｇ２より像側に位置する正の屈折力の後続レンズ群に、短焦点距離端から長焦点距離端への変倍に際して互いの間隔を変化させる少なくとも２つのレンズ群（第３レンズ群Ｇ３、第４レンズ群Ｇ４ＰまたはＧ４Ｎ、第５レンズ群Ｇ５、第６レンズ群Ｇ６）を含ませている。
これにより、変倍時の像面湾曲を良好に補正して優れた光学性能を実現することができる。
【００３３】
条件式（１）は、第２レンズ群Ｇ２の焦点距離と、第２ｂレンズ群Ｇ２ｂの焦点距離との比を規定している。条件式（１）を満足することで、迅速なフォーカシングを可能にするとともに、フォーカシング時の球面収差や像面湾曲の変化を抑えて優れた光学性能を実現することができる。
条件式（１）の上限を超えると、第２ｂレンズ群Ｇ２ｂのパワーが強くなりすぎて、フォーカシング時の球面収差や像面湾曲の変化が大きくなって光学性能が劣化してしまう。
条件式（１）の下限を超えると、第２ｂレンズ群Ｇ２ｂのパワーが弱くなりすぎて、第２ｂレンズ群Ｇ２ｂのフォーカシング移動量が大きくなるため、迅速なフォーカシングを行うことが困難になってしまう。
【００３４】
条件式（２）は、フォーカスレンズ群である第２ｂレンズ群Ｇ２ｂ中の負レンズ２４のｄ線に対するアッベ数を規定している。条件式（２）を満足することで、フォーカシング時の色収差の変動を良好に補正して優れた光学性能を実現することができる。
条件式（２）の下限を超えると、フォーカシング時の色収差の変動が大きくなりすぎて光学性能が劣化してしまう。
【００３５】
条件式（３）は、フォーカスレンズ群である第２ｂレンズ群Ｇ２ｂ中の負レンズ２４のｄ線に対する屈折率を規定している。条件式（３）を満足することで、フォーカシング時の球面収差の変動を良好に補正して優れた光学性能を実現することができる。
条件式（３）の下限を超えると、フォーカシング時の球面収差の変動が大きくなりすぎて光学性能が劣化してしまう。
【００３６】
条件式（４）は、第２ａレンズ群Ｇ２ａの焦点距離と、第２ｂレンズ群Ｇ２ｂの焦点距離との比を規定している。条件式（４）を満足することで、迅速なフォーカシングを可能にするとともに、フォーカシング時の球面収差や像面湾曲の変化を抑えて優れた光学性能を実現することができる。
条件式（４）の上限を超えると、第２ｂレンズ群Ｇ２ｂのパワーが強くなりすぎて、フォーカシング時の球面収差や像面湾曲の変化が大きくなって光学性能が劣化してしまう。
条件式（４）の下限を超えると、第２ｂレンズ群Ｇ２ｂのパワーが弱くなりすぎて、第２ｂレンズ群Ｇ２ｂのフォーカシング移動量が大きくなるため、迅速なフォーカシングを行うことが困難になってしまう。
【実施例】
【００３７】
次に具体的な数値実施例１−６を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。長さの単位は[mm]である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。数値実施例１、２、５、６では、非球面レンズは用いていない。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３８】
［数値実施例１］
図１〜図６と表１〜表３は、本発明によるズームレンズ系の数値実施例１を示している。図１は長焦点距離端における無限遠合焦時のレンズ構成図、図２はその諸収差図、図３はその横収差図であり、図４は短焦点距離端における無限遠合焦時のレンズ構成図、図５はその諸収差図、図６はその横収差図である。表１は面データ、表２は各種データ、表３はレンズ群データである。
【００３９】
本数値実施例１のズームレンズ系は、物体側から順に、正の屈折力の第１レンズ群Ｇ１、負の屈折力の第２レンズ群Ｇ２、及び正の屈折力の後続レンズ群からなる。第２レンズ群Ｇ２は、物体側から順に、負の屈折力の第２ａレンズ群Ｇ２ａ、及び負の屈折力の第２ｂレンズ群Ｇ２ｂからなる。後続レンズ群は、物体側から順に、正の屈折力の第３レンズ群Ｇ３、及び正の屈折力の第４レンズ群Ｇ４Ｐからなる。第４レンズ群Ｇ４Ｐの後方（像面Ｉとの間）には、光学フィルタＯＰとカバーガラスＣＧが配置されている。
【００４０】
第１レンズ群Ｇ１は、物体側から順に、物体側から順に位置する物体側に凸の負メニスカスレンズ１１と両凸正レンズ１２の接合レンズ、及び物体側に凸の正メニスカスレンズ１３からなる。
【００４１】
第２ａレンズ群Ｇ２ａは、物体側から順に、両凹負レンズ２１、及び物体側から順に位置する物体側に凸の負メニスカスレンズ２２と物体側に凸の正メニスカスレンズ２３の接合レンズからなる。第２ａレンズ群Ｇ２ａは、フォーカシング時に不動である（像面Ｉに対して固定されている）。
【００４２】
第２ｂレンズ群Ｇ２ｂは、両凹負単レンズ２４からなる。第２ｂレンズ群Ｇ２ｂ（両凹負単レンズ２４）は、フォーカシング時に光軸方向に移動するフォーカスレンズ群（フォーカスレンズ）である。つまり、無限遠物体から有限距離物体へ合焦させるに際し、第２ｂレンズ群Ｇ２ｂ（両凹負単レンズ２４）を物体側に移動させてフォーカシングを行う。
【００４３】
第３レンズ群Ｇ３は、物体側から順に位置する両凸正レンズ３１と像側に凸の負メニスカスレンズ３２の接合レンズからなる。第２レンズ群Ｇ２（第２ｂレンズ群Ｇ２ｂ）と第３レンズ群Ｇ３の間に位置する絞りＳは、第３レンズ群Ｇ３と一体に移動する。
【００４４】
第４レンズ群Ｇ４Ｐは、物体側から順に、両凸正レンズ４１、物体側から順に位置する両凸正レンズ４２と両凹負レンズ４３の接合レンズ、両凸正レンズ４４、像側に凸の負メニスカスレンズ４５、及び物体側に凸の正メニスカスレンズ４６からなる。
【００４５】
（表１）
面データ
面番号          r          d          N(d)        νｄ
1           139.291      1.000      1.83400       37.3
2            42.773      4.465      1.49700       81.6
3           -81.069      1.561
4            31.248      3.480      1.49700       81.6
5           136.645        d5
6           -64.943      0.900      1.72916       54.7
7            20.797      0.632
8           421.459      1.000      1.60240       60.8
9             8.630      2.222      1.81102       25.2
10           21.760      3.826
11          -14.583      0.900      1.60000       65.3
12          148.081       d12
13絞           ∞        1.400
14           45.837      2.457      1.48788       70.2
15           -8.015      0.900      1.70013       54.4
16          -16.457       d16
17           14.673      2.714      1.77200       49.7
18          -99.134      0.100
19           11.610      3.074      1.49700       81.6
20          -28.753      1.400      1.80486       35.8
21            8.976      0.922
22           39.215      3.675      1.70519       53.6
23          -20.425      1.493
24           -9.666      3.809      1.84700       23.8
25          -13.807      7.487
26           22.698      2.000      1.48749       70.2
27           79.352       d27
28             ∞        0.550      1.51633       64.1
29             ∞        2.020
30             ∞        0.500      1.51633       64.1
31             ∞          -
（表２）
各種データ
ズーム比（変倍比）    2.88
短焦点距離端          中間焦点距離          長焦点距離端
FNO.            2.8                   3.3                   3.5
f             15.30                 26.00                 44.10
W              18.8                  10.9                   6.4
Y              4.65                  4.65                  4.65
fB             0.53                  0.53                  0.53
L             80.00                 87.34                 94.58
d5            7.233                18.248                29.206
d12           3.676                 2.336                 1.250
d16           7.762                 2.759                 0.600
d27           6.310                 8.980                 8.509
（表３）
レンズ群データ
群          始面          焦点距離
1              1             60.01
2a(2)          6            -16.72
2b(2)         11            -22.08
3             14             37.36
4             17             20.53
【００４６】
［数値実施例２］
図７〜図１２と表４〜表６は、本発明によるズームレンズ系の数値実施例２を示している。図７は長焦点距離端における無限遠合焦時のレンズ構成図、図８はその諸収差図、図９はその横収差図であり、図１０は短焦点距離端における無限遠合焦時のレンズ構成図、図１１はその諸収差図、図１２はその横収差図である。表４は面データ、表５は各種データ、表６はレンズ群データである。
【００４７】
この数値実施例２のレンズ構成は、以下の点を除いて数値実施例１のレンズ構成と同様である。
（１）第４レンズ群Ｇ４Ｐの物体側に凸の正メニスカスレンズ４６が存在しない。
【００４８】
（表４）
面データ
面番号          r          d          N(d)        νｄ
1           167.433      1.000      1.83400       37.3
2            45.146      4.465      1.49700       81.6
3           -80.907      1.565
4            31.901      3.480      1.49700       81.6
5           100.848        d5
6          -103.008      0.900      1.72916       54.7
7            15.933      0.943
8           254.817      1.000      1.64853       57.9
9             9.661      2.282      1.84700       23.8
10           55.564      3.346
11          -15.536      0.900      1.70000       55.7
12          106.940       d12
13絞           ∞        1.000
14           29.456      2.457      1.48749       70.3
15           -8.401      0.900      1.80500       36.7
16          -17.296       d16
17           13.620      2.714      1.76740       50.1
18         -144.276      0.100
19           12.585      2.436      1.49700       81.6
20          -40.079      1.400      1.77543       37.0
21            8.987      1.286
22           31.383      3.580      1.83251       42.7
23          -20.595      1.455
24           -8.341      3.029      1.84700       23.8
25          -12.048       d25
26             ∞        0.550      1.51633       64.1
27             ∞        2.020
28             ∞        0.500      1.51633       64.1
29             ∞          -
（表５）
各種データ
ズーム比（変倍比）    2.88
短焦点距離端          中間焦点距離          長焦点距離端
FNO.            2.8                   3.3                   3.6
f             15.30                 26.00                 44.10
W              17.3                  10.1                   5.9
Y              4.65                  4.65                  4.65
fB             0.53                  0.53                  0.53
L             76.24                 85.03                 95.00
d5            9.940                20.139                31.784
d12           5.530                 2.925                 1.250
d16           4.656                 2.016                 0.600
d25          12.279                16.113                17.530
（表６）
レンズ群データ
群          始面          焦点距離
1              1             68.65
2a(2)          6            -22.17
2b(2)         11            -19.32
3             14             39.18
4             17             18.12
【００４９】
［数値実施例３］
図１３〜図１８と表７〜表１０は、本発明によるズームレンズ系の数値実施例３を示している。図１３は長焦点距離端における無限遠合焦時のレンズ構成図、図１４はその諸収差図、図１５はその横収差図であり、図１６は短焦点距離端における無限遠合焦時のレンズ構成図、図１７はその諸収差図、図１８はその横収差図である。表７は面データ、表８は各種データ、表９は非球面データ、表１０はレンズ群データである。
【００５０】
この数値実施例３のレンズ構成は、以下の点を除いて数値実施例１のレンズ構成と同様である。
（１）第１レンズ群Ｇ１が、物体側から順に位置する物体側に凸の負メニスカスレンズ１１と物体側に凸の正メニスカスレンズ１２の接合レンズからなる。
（２）第２ａレンズ群Ｇ２ａが、物体側から順に、物体側に凸の負メニスカスレンズ２１、物体側に凸の負メニスカスレンズ２２、及び物体側に凸の正メニスカスレンズ２３からなる。負メニスカスレンズ２１はその物体側の面が非球面である。
（３）第２ｂレンズ群Ｇ２ｂの負単レンズ２４が、像側に凸の負メニスカスレンズである。
（４）第３レンズ群Ｇ３が、物体側から順に、両凸正レンズ３３、及び物体側から順に位置する両凸正レンズ３４と両凹負レンズ３５の接合レンズからなる。
（５）第４レンズ群Ｇ４Ｐが、物体側から順に位置する像側に凸の正メニスカスレンズ４７と像側に凸の負メニスカスレンズ４８の接合レンズからなる。正メニスカスレンズ４７はその物体側の面が非球面である。
（６）第４レンズ群Ｇ４Ｐの後方（像面Ｉとの間）に、光学フィルタＯＰとカバーガラスＣＧが存在しない。
【００５１】
（表７）
面データ
面番号          r          d          N(d)        νｄ
1            83.618      2.000      1.80518       25.4
2            51.962      6.496      1.69680       55.5
3           527.075        d3
4*          384.913      1.300      1.77250       49.6
5            14.500      4.648
6            59.867      1.200      1.77250       49.6
7            20.347      1.986
8            21.336      4.190      1.84666       23.8
9           182.135      4.215
10          -34.291      1.100      1.77250       49.6
11         -102.839       d11
12絞           ∞        1.500
13           22.972      2.825      1.48749       70.2
14          -35.076      3.799
15           33.319      5.000      1.48749       70.2
16          -15.587      1.000      1.84500       40.9
17          135.438       d17
18*         -25.500      5.314      1.48749       70.4
19          -11.278      1.200      1.80500       25.4
20          -13.128        -
＊は回転対称非球面である。
（表８）
各種データ
ズーム比（変倍比）    3.67
短焦点距離端          中間焦点距離          長焦点距離端
FNO.            4.1                   4.9                   6.1
f             18.50                 34.99                 67.98
W              38.8                  21.8                  11.6
Y             14.24                 14.24                 14.24
fB            39.41                 57.40                 79.43
L            125.50                142.91                178.79
d3            2.500                22.814                46.632
d11          25.242                10.177                 2.000
d17          10.581                 4.746                 2.955
（表９）
非球面データ
面番号   K          A4             A6             A8
4      0.000   0.1691E-04    -0.2846E-07     0.2941E-10
18     0.000  -0.7344E-04    -0.2429E-06    -0.1843E-08
（表１０）
レンズ群データ
群          始面          焦点距離
1              1            158.83
2a(2)          4            -29.92
2b(2)         10            -67.07
3             13             36.77
4             18             54.59
【００５２】
［数値実施例４］
図１９〜図２４と表１１〜表１４は、本発明によるズームレンズ系の数値実施例４を示している。図１９は長焦点距離端における無限遠合焦時のレンズ構成図、図２０はその諸収差図、図２１はその横収差図であり、図２２は短焦点距離端における無限遠合焦時のレンズ構成図、図２３はその諸収差図、図２４はその横収差図である。表１１は面データ、表１２は各種データ、表１３は非球面データ、表１４はレンズ群データである。
【００５３】
この数値実施例４のレンズ構成は、以下の点を除いて数値実施例１のレンズ構成と同様である。
（１）第２ａレンズ群Ｇ２ａが、物体側から順に、物体側に凸の負メニスカスレンズ２１、両凹負レンズ２２、及び両凸正レンズ２３からなる。負メニスカスレンズ２１は、その物体側の面に合成樹脂材料による非球面層が接着形成されたハイブリッドレンズである。
（２）第２ｂレンズ群Ｇ２ｂの負単レンズ２４が、像側に凸の負メニスカスレンズである。
（３）後続レンズ群が、物体側から順に、正の屈折力の第３レンズ群Ｇ３、負の屈折力の第４レンズ群Ｇ４Ｎ、及び正の屈折力の第５レンズ群Ｇ５からなる。
（４）第３レンズ群Ｇ３が、物体側から順に、物体側に凸の正メニスカスレンズ３１'、物体側から順に位置する物体側に凸の負メニスカスレンズ３２'と両凸正レンズ３３'の接合レンズ、及び両凸正レンズ３４'からなる。正メニスカスレンズ３１'と両凸正レンズ３４'はともにその物体側の面が非球面である。
（５）第４レンズ群Ｇ４Ｎが、物体側から順に位置する像側に凸の正メニスカスレンズ４１'と両凹負レンズ４２'の接合レンズからなる。
（６）第５レンズ群Ｇ５が、物体側から順に、両凸正レンズ５１、及び物体側から順に位置する両凸正レンズ５２と像側に凸の負メニスカスレンズ５３の接合レンズからなる。両凸正レンズ５１はその像側の面が非球面である。
（７）第５レンズ群Ｇ５の後方（像面Ｉとの間）に、光学フィルタＯＰとカバーガラスＣＧが存在しない。
【００５４】
（表１１）
面データ
面番号          r          d          N(d)        νｄ
1           681.184      1.800      1.84666       23.8
2           123.356      4.977      1.69680       55.5
3         -1150.833      0.100
4            57.158      3.702      1.72916       54.7
5           129.446        d5
6*           62.744      0.080      1.52700       43.7
7            49.960      1.200      1.88300       40.8
8            14.000      6.951
9           -34.033      1.200      1.83481       42.7
10           27.582      0.201
11           25.564      7.335      1.64524       33.5
12          -21.922      2.373
13          -24.993      1.000      1.80061       47.0
14         -154.434       d14
15絞           ∞        0.007
16           68.863      1.159      1.49700       81.6
17           84.777      0.104
18           26.154      1.000      1.84699       23.8
19           18.248      6.939      1.48749       70.2
20         -105.820      0.148
21*          33.129      4.871      1.59198       40.9
22          -53.420       d22
23          -47.539      3.460      1.84700       23.8
24          -16.082      1.000      1.80241       46.6
25           42.956       d25
26           83.795      5.074      1.49700       81.6
27*         -24.969      0.100
28           82.991      6.933      1.49700       81.6
29          -18.080      1.100      1.84699       25.4
30          -57.049        -
＊は回転対称非球面である。
（表１２）
各種データ
ズーム比（変倍比）    4.12
短焦点距離端          中間焦点距離          長焦点距離端
FNO.            4.1                   4.1                   4.1
f             16.48                 34.99                 67.90
W              42.0                  22.1                  11.6
Y             14.24                 14.24                 14.24
fB            43.03                 59.31                 70.66
L            144.79                154.03                192.17
d5            3.100                 6.588                36.002
d14          15.250                 4.713                 2.100
d22           2.350                13.393                18.419
d25          18.250                 7.207                 2.180
（表１３）
非球面データ（表示していない非球面係数は0.00である）
面番号   K          A4             A6             A8            A10
6      0.000   0.2044E-04    -0.7446E-07     0.2799E-09    -0.6811E-12
21     0.000  -0.1280E-04     0.3282E-09
27     0.000  -0.1422E-05     0.4702E-08    -0.7839E-10
（表１４）
レンズ群データ
群          始面          焦点距離
1              1            126.43
2a(2)          6            -30.07
2b(2)         13            -37.37
3             16             22.93
4             23            -29.06
5             26             36.50
【００５５】
［数値実施例５］
図２５〜図３０と表１５〜表１７は、本発明によるズームレンズ系の数値実施例５を示している。図２５は長焦点距離端における無限遠合焦時のレンズ構成図、図２６はその諸収差図、図２７はその横収差図であり、図２８は短焦点距離端における無限遠合焦時のレンズ構成図、図２９はその諸収差図、図３０はその横収差図である。表１５は面データ、表１６は各種データ、表１７はレンズ群データである。
【００５６】
この数値実施例５のレンズ構成は、以下の点を除いて数値実施例１のレンズ構成と同様である。
（１）第２ａレンズ群Ｇ２ａの負レンズ２１が、物体側に凸の負メニスカスレンズである。
（２）第２ｂレンズ群Ｇ２ｂが、物体側から順に位置する両凹負レンズ２４と両凸正レンズ２５の接合レンズからなる。
（３）後続レンズ群が、物体側から順に、正の屈折力の第３レンズ群Ｇ３、負の屈折力の第４レンズ群Ｇ４Ｎ、正の屈折力の第５レンズ群Ｇ５、及び負の屈折力の第６レンズ群Ｇ６からなる。
（４）第３レンズ群Ｇ３が、物体側から順に、両凸正レンズ３１''、及び物体側から順に位置する両凸正レンズ３２''と像側に凸の負メニスカスレンズ３３''の接合レンズからなる。
（５）第４レンズ群Ｇ４Ｎが、物体側から順に位置する両凹負レンズ４１''と物体側に凸の正メニスカスレンズ４２''からなる。
（６）第５レンズ群Ｇ５が、物体側から順に、両凸正レンズ５１'、両凸正レンズ５２'、及び物体側から順に位置する両凸正レンズ５３'と両凹負レンズ５４'の接合レンズからなる。
（７）第６レンズ群Ｇ６が、物体側から順に、両凹負レンズ６１、両凹負レンズ６２、及び両凸正レンズ６３からなる。
（８）第６レンズ群Ｇ６の後方（像面Ｉとの間）に、光学フィルタＯＰとカバーガラスＣＧが存在しない。
【００５７】
（表１５）
面データ
面番号          r          d          N(d)        νｄ
1           118.988      2.000      1.83500       41.9
2            57.018     11.722      1.43875       95.0
3          -597.649      0.150
4            54.077      9.256      1.48750       70.3
5           531.951        d5
6            82.372      1.300      1.83400       37.2
7            24.382      4.224
8           242.052      1.300      1.83099       43.1
9            16.678      6.345      1.72790       27.7
10          122.684      9.963
11          -29.970      1.100      1.79211       47.5
12           33.873      3.422      1.80518       25.4
13         -126.962       d13
14絞           ∞        1.000
15           40.154      4.265      1.59922       66.1
16          -47.572      0.100
17           41.055      5.179      1.48749       70.2
18          -27.672      1.100      1.80518       25.4
19         -218.183       d19
20          -44.940      1.200      1.71300       53.9
21           18.383      3.371      1.78472       25.7
22           74.758       d22
23          304.063      3.691      1.48749       70.2
24          -28.063      0.100
25           78.753      2.782      1.61800       63.4
26          -94.797      0.100
27           32.357      5.113      1.49700       81.6
28          -25.875      1.200      1.80105       31.4
29          137.934       d29
30         -162.978      1.200      1.80610       33.3
31           38.842      5.242
32         -367.568      1.200      1.77250       49.6
33           30.949      0.100
34           30.539      2.935      1.80266       25.3
35         -224.458        -
（表１６）
各種データ
ズーム比（変倍比）    13.23
短焦点距離端          中間焦点距離          長焦点距離端
FNO.            3.6                   6.1                   6.0
f             25.70                 99.99                339.90
W              29.9                   8.0                   2.4
Y             14.24                 14.24                 14.24
fB            38.00                 51.10                 69.25
L            180.00                207.35                245.36
d5            2.000                29.355                67.365
d13          33.533                 6.282                 2.000
d19           2.047                 8.248                10.834
d22          10.915                 4.713                 2.127
d29           2.847                16.991                 3.131
（表１７）
レンズ群データ
群          始面          焦点距離
1              1            111.95
2a(2)          6            -29.34
2b(2)         11            -51.87
3(3)          15             31.34
4(4)          20            -43.92
5(5)          23             29.58
6(6)          30            -45.11
【００５８】
［数値実施例６］
図３１〜図３６と表１８〜表２０は、本発明によるズームレンズ系の数値実施例６を示している。図３１は長焦点距離端における無限遠合焦時のレンズ構成図、図３２はその諸収差図、図３３はその横収差図であり、図３４は短焦点距離端における無限遠合焦時のレンズ構成図、図３５はその諸収差図、図３６はその横収差図である。表１８は面データ、表１９は各種データ、表２０はレンズ群データである。
【００５９】
この数値実施例６のレンズ構成は、以下の点を除いて数値実施例２のレンズ構成と同様である。
（１）第２ａレンズ群Ｇ２ａの負レンズ２２が、両凹負レンズである。
【００６０】
（表１８）
面データ
面番号          r          d          N(d)        νｄ
1           222.552      1.000      1.83400       37.3
2            51.255      4.465      1.49700       81.6
3           -78.678      1.682
4            35.854      3.480      1.49700       81.6
5           137.718        d5
6           -73.922      0.900      1.72916       54.7
7            32.989      0.601
8           -91.589      1.000      1.65132       57.7
9             8.630      2.431      1.84533       29.4
10           50.943      3.644
11          -18.067      0.900      1.70025       55.4
12           39.329       d12
13絞           ∞        1.400
14           37.781      2.457      1.48759       70.3
15           -8.412      0.900      1.80463       45.2
16          -16.728       d16
17           13.683      2.714      1.77200       49.7
18         -303.835      0.120
19           10.757      3.008      1.49700       81.6
20          -43.872      1.400      1.80500       34.7
21            8.197      1.017
22           27.395      2.195      1.83391       42.1
23          -20.136      1.434
24           -9.233      4.371      1.84700       23.8
25          -14.029       d25
26             ∞        0.550      1.51633       64.1
27             ∞        2.020
28             ∞        0.500      1.51633       64.1
29             ∞          -
（表１９）
各種データ
ズーム比（変倍比）    2.88
短焦点距離端          中間焦点距離          長焦点距離端
FNO.            2.8                   3.2                   3.4
f             15.30                 26.00                 44.10
W              19.0                  10.9                   6.3
Y              4.65                  4.65                  4.65
fB             0.53                  0.53                  0.53
L             71.12                 84.38                 94.85
d5            3.400                19.692                33.068
d12           3.919                 2.729                 1.250
d16           6.112                 2.484                 0.600
d25          12.970                14.754                15.215
（表２０）
レンズ群データ
群          始面          焦点距離
1              1             71.71
2a(2)          6            -29.82
2b(2)         11            -17.57
3             14             42.25
4             17             17.97
【００６１】
各数値実施例の各条件式に対する値を表２１に示す。
（表２１）
実施例１     実施例２     実施例３
条件式（１）    0.379        0.466        0.259
条件式（２）    65.29        55.69        49.60
条件式（３）    1.600        1.700        1.773
条件式（４）    0.757        1.147        0.417
実施例４     実施例５     実施例６
条件式（１）    0.324        0.304        0.560
条件式（２）    46.89        47.55        55.44
条件式（３）    1.803        1.792        1.700
条件式（４）    0.805        0.566        1.697
【００６２】
表２１から明らかなように、数値実施例１〜６は条件式（１）〜（４）を満足している。また諸収差図から明らかなように諸収差は比較的よく補正されている。
【符号の説明】
【００６３】
Ｇ１  正の屈折力の第１レンズ群
１１  負レンズ
１２  正レンズ
１３  正レンズ
Ｇ２  負の屈折力の第２レンズ群
Ｇ２ａ  負の屈折力の第２ａレンズ群
２１  負レンズ
２２  負レンズ
２３  正レンズ
Ｇ２ｂ  負の屈折力の第２ｂレンズ群
２４  負レンズ
２５  正レンズ
Ｇ３  正の屈折力の第３レンズ群（後続レンズ群）
３１  正レンズ
３２  負レンズ
３３  正レンズ
３４  正レンズ
３５  負レンズ
３１'  正レンズ
３２'  負レンズ
３３'  正レンズ
３４'  正レンズ
３１''  正レンズ
３２''  正レンズ
３３''  負レンズ
Ｇ４Ｐ  正の屈折力の第４レンズ群（後続レンズ群）
４１  正レンズ
４２  正レンズ
４３  負レンズ
４４  正レンズ
４５  負レンズ
４６  正レンズ
４７  正レンズ
４８  負レンズ
Ｇ４Ｎ  負の屈折力の第４レンズ群（後続レンズ群）
４１'  正レンズ
４２'  負レンズ
４１''  負レンズ
４２''  正レンズ
Ｇ５  正の屈折力の第５レンズ群（後続レンズ群）
５１  正レンズ
５２  正レンズ
５３  負レンズ
５１'  正レンズ
５２'  正レンズ
５３'  正レンズ
５４'  負レンズ
Ｇ６  負の屈折力の第６レンズ群（後続レンズ群）
６１  負レンズ
６２  負レンズ
６３  正レンズ
ＯＰ  光学フィルタ
ＣＧ  カバーガラス
Ｓ  絞り
Ｉ  像面
【図１】
0005891895.tif 000002
【図２】
0005891895.tif 000003
【図３】
0005891895.tif 000004
【図４】
0005891895.tif 000005
【図５】
0005891895.tif 000006
【図６】
0005891895.tif 000007
【図７】
0005891895.tif 000008
【図８】
0005891895.tif 000009
【図９】
0005891895.tif 000010
【図１０】
0005891895.tif 000011
【図１１】
0005891895.tif 000012
【図１２】
0005891895.tif 000013
【図１３】
0005891895.tif 000014
【図１４】
0005891895.tif 000015
【図１５】
0005891895.tif 000016
【図１６】
0005891895.tif 000017
【図１７】
0005891895.tif 000018
【図１８】
0005891895.tif 000019
【図１９】
0005891895.tif 000020
【図２０】
0005891895.tif 000021
【図２１】
0005891895.tif 000022
【図２２】
0005891895.tif 000023
【図２３】
0005891895.tif 000024
【図２４】
0005891895.tif 000025
【図２５】
0005891895.tif 000026
【図２６】
0005891895.tif 000027
【図２７】
0005891895.tif 000028
【図２８】
0005891895.tif 000029
【図２９】
0005891895.tif 000030
【図３０】
0005891895.tif 000031
【図３１】
0005891895.tif 000032
【図３２】
0005891895.tif 000033
【図３３】
0005891895.tif 000034
【図３４】
0005891895.tif 000035
【図３５】
0005891895.tif 000036
【図３６】
0005891895.tif 000037
【図３７】
0005891895.tif 000038
【図３８】
0005891895.tif 000039
【図３９】
0005891895.tif 000040
【図４０】
0005891895.tif 000041
【図４１】
0005891895.tif 000042